(57)【要約】【課題】  剛性を十分に確保して、音圧の振動に耐えることができ、大きな音を出力することができる電子鍵盤楽器を提供する。【解決手段】  鍵盤部５が設けられた楽器ケース１と、この楽器ケース１に鍵盤部５の鍵配列方向に沿って設けられ、楽器ケース１よりも剛性の高い材料で形成されたスピーカボックス６と、を備えている。従って、スピーカボックス６によって剛性を確保することができるので、楽器ケース１が合成樹脂で形成されても、楽器ケース１全体の剛性を高めることができる。これにより、スピーカ２０の音質や音量を高めることができると共に、スピーカ２０の音質や音量を高めても、スピーカ２０の音圧の振動にスピーカボックス６が十分に耐えることができるので、スピーカ２０で大きな音を確実にかつ良好に出力することができる。【選択図】        図２
2015060112.tif 000002
【特許請求の範囲】
【請求項１】
鍵盤部が設けられた楽器ケースと、
この楽器ケースに前記鍵盤部の鍵配列方向に沿って設けられ、前記楽器ケースよりも剛性の高い材料で形成されたスピーカボックスと、
を備えていることを特徴とする電子鍵盤楽器。
【請求項２】
請求項１に記載の電子鍵盤楽器において、前記スピーカボックスは、木製であり、板厚が前記楽器ケースの肉厚よりも厚く形成されていることを特徴とする電子鍵盤楽器。
【請求項３】
請求項１または請求項２に記載の電子鍵盤楽器において、前記楽器ケースは、合成樹脂製の下部ケースと合成樹脂製の上部ケースとで構成されていることを特徴とする電子鍵盤楽器。
【請求項４】
請求項１〜請求項３のいずれかに記載の電子鍵盤楽器において、前記鍵盤部の鍵配列方向における前記スピーカボックスの両側に位置する内部には、それぞれスピーカが上向きに設けられていることを特徴とする電子鍵盤楽器。
【請求項５】
請求項１〜請求項４のいずれかに記載の電子鍵盤楽器において、前記鍵盤部の鍵配列方向における前記スピーカボックスの中間に位置する内部には、低音再生用のスピーカが下向きに設けられていることを特徴とする電子鍵盤楽器。
【請求項６】
請求項１〜請求項５のいずれかに記載の電子鍵盤楽器において、前記スピーカボックスには、バスレフポートが設けられていることを特徴とする電子鍵盤楽器。
【発明の詳細な説明】
【技術分野】
【０００１】
この発明は、電子ピアノや電子オルガンなどの電子鍵盤楽器に関する。
【背景技術】
【０００２】
例えば、電子ピアノなどの電子鍵盤楽器においては、特許文献１に記載されているように、鍵盤部が設けられる楽器ケースを上部ケースと下部ケースとで構成し、この楽器ケース内における鍵盤部の後部側にスピーカを配置した構成のものが知られている。
【先行技術文献】
【特許文献】
【０００３】
【特許文献１】特開２００８−３０４７２１号公報
【０００４】
このような電子鍵盤楽器は、上部ケースと下部ケースとをそれぞれ合成樹脂で形成し、鍵盤部の鍵盤シャーシを兼ねる下部ケースの上部に、鍵盤部を除いて、上部ケースを取り付け、これら上部ケースと下部ケースとで構成された楽器ケース内に、鍵盤部とスピーカとの間を仕切る仕切部を設け、この仕切部によって楽器ケース内に音響空間を形成し、この音響空間内にスピーカを設けた構成になっている。
【発明の概要】
【発明が解決しようとする課題】
【０００５】
このような電子鍵盤楽器では、音質や音量を高める場合、楽器ケースが合成樹脂製であるから、剛性を確保するために、楽器ケースの肉厚を厚くする必要がある。しかし、合成樹脂製の楽器ケースでは、肉厚を厚くしても、３ｍｍ〜４ｍｍ程度が限界であり、十分な剛性を確保することが困難である。また、コスト面などかしても肉厚のプラスチックを採用することは好ましくない。このため、スピーカの音圧による振動に対して楽器ケースが耐えることができず、大きな音を出すことができないという問題がある。
【０００６】
この発明が解決しようとする課題は、剛性を十分に確保して、音圧の振動に耐えることができ、大きな音を出力することができる電子鍵盤楽器を提供することである。
【課題を解決するための手段】
【０００７】
この発明は、鍵盤部が設けられた楽器ケースと、この楽器ケースに前記鍵盤部の鍵配列方向に沿って設けられ、前記楽器ケースよりも剛性の高い材料で形成されたスピーカボックスと、を備えていることを特徴とする電子鍵盤楽器である。
【発明の効果】
【０００８】
この発明によれば、スピーカボックスによって剛性を確保することができるので、楽器ケースが合成樹脂で形成されても、楽器ケース全体の剛性を高めることができる。これにより、音質や音量を高めることができると共に、音質や音量を高めても、音圧の振動にスピーカボックスが十分に耐えることができるので、大きな音を確実にかつ良好に出力することができる。
【図面の簡単な説明】
【０００９】
【図１】この発明を適用した電子鍵盤楽器の第１実施形態を示した平面図である。
【図２】図１に示された電子鍵盤楽器のＡ−Ａ矢視における拡大断面図である。
【図３】図１に示された電子鍵盤楽器のＢ−Ｂ矢視における拡大断面図である。
【図４】図１に示された電子鍵盤楽器の拡大側面図である。
【図５】図１に示された電子鍵盤楽器において、側面パネルを取り外した状態を示した平面図である。
【図６】図５に示された電子鍵盤楽器において、上部ケースを取り外した状態を示した平面図である。
【図７】図６に示されたスピーカボックスを示し、（ａ）はその平面図、（ｂ）はその側面図、（ｃ）はその正面図、（ｄ）は（ａ）のＣ−Ｃ矢視における断面図である。
【図８】この発明を適用した電子鍵盤楽器の第２実施形態を示した平面図である。
【図９】図８に示された電子鍵盤楽器のＤ−Ｄ矢視における拡大断面図である。
【図１０】図９に示されたスピーカボックスを示し、（ａ）はその平面図、（ｂ）はその側面図、（ｃ）はその正面図、（ｄ）はその底面図である。
【図１１】図９に示されたスピーカボックスの底板を示し、（ａ）はその平面図、（ｂ）はその正面面図、（ｃ）はその底面図である。
【図１２】この発明を適用した電子鍵盤楽器の第３実施形態を示した要部の拡大断面図である。
【図１３】この発明を適用した電子鍵盤楽器の変形例を示した要部の拡大断面図である。
【発明を実施するための形態】
【００１０】
（第１実施形態）
以下、図１〜図７を参照して、この発明を適用した電子鍵盤楽器の第１実施形態について説明する。
この電子鍵盤楽器は、図１〜図３に示すように、楽器ケース１を備えている。この楽器ケース１は、下部ケース２と上部ケース３と側面パネル４とを備えている。
【００１１】
この楽器ケース１としての下部ケース２と上部ケース３と側面パネル４は、量産性やコスト面等で優れていることから、例えばポリスチレン（ＰＳ）やＡＢＳ材（ＡＢＳ樹脂：アクリロニトリル・ブタジエン・スチレン共重合合成樹脂）などのプラスチックを用いて作成することができる。この楽器ケース１の前側部（図２では左側部）には、鍵盤部５が設けられており、この鍵盤部５の後側に位置する楽器ケース１には、スピーカボックス６が取り付けられている。
【００１２】
鍵盤部５は、図１〜図３に示すように、鍵盤シャーシ７と、この鍵盤シャーシ７上に配列された複数の鍵８と、これら複数の鍵８にそれぞれアクション荷重を付与するハンマー部材９とを備えている。鍵盤シャーシ７は、下部ケース２上に配置されている。複数の鍵８は、白鍵と黒鍵とからなり、各後端部（図２では右端部）が鍵盤シャーシ７の各鍵支持部７ａにそれぞれ上下方向に回転可能に取り付けられている。
【００１３】
ハンマー部材９は、図２および図３に示すように、鍵盤シャーシ７の前後方向（図２では左右方向）における中間部に設けられた各ハンマー支持部７ｂに軸９ａによってそれぞれ上下方向に回転可能に取り付けられている。このハンマー部材９は、その前端部（図２では左端部）が鍵８に摺動可能に保持され、後端部（図２では右端部）に錘９ｂが設けられた構成になっている。
【００１４】
これにより、ハンマー部材９は、図２および図３に示すように、通常は錘９ｂの重量によって軸９ａを中心に図２において時計回りに回転することにより、ハンマー部材９の前端部が鍵８を押し上げるように構成されている。また、このハンマー部材９は、鍵８が押鍵されると、ハンマー部材９の前端部が錘９ｂの重量に抗して押し下げられることにより、軸９ａを中心に反時計回りに回転して、鍵８にアクション荷重を付与するように構成されている。
【００１５】
ところで、下部ケース２は、図２および図３に示すように、鍵盤シャーシ７が配置されるシャーシ搭載部２ａと、複数の鍵８の前端部（図２では左端部）の前側に立ち上がる前カバー部２ｂと、鍵盤部５の鍵配列方向の両側に位置する各側面カバー部２ｃとを有し、これらが合成樹脂によって一体に形成されている。
【００１６】
この場合、シャーシ搭載部２ａは、図１〜図３に示すように、鍵盤シャーシ７とほぼ同じ大きさに形成されていることにより、シャーシ搭載部２ａの後端部（図２では右端部）が鍵盤シャーシ７の後端部に対応するように構成されている。このシャーシ搭載部２ａは、その後端部に後述するスピーカボックス６の前端下部が取り付けられるように構成されている。
【００１７】
また、各側面カバー部２ｃは、その高さが鍵盤部５の鍵８とほぼ同じ高さで、図５および図６に示すように、前カバー部２ｂから鍵盤部５の後方に延出されて形成されている。これにより、各側面カバー部２ｃは、後方に延出された個所の間にスピーカボックス６が配置され、この状態でスピーカボックス６の両側面にビス１０によって取り付けられるように構成されている。
【００１８】
上部ケース３は、合成樹脂からなり、図１〜図４に示すように、鍵盤部５の後部から鍵盤部５の後方に延出されて配置され、この延出された個所の下側にスピーカボックス６が配置されるように構成されている。この場合、上部ケース３の前端部（図２では左側部）には、前下り部３ａが設けられており、これに隣接する上部ケース３の前部下面には、前側ボス部３ｂが設けられている。また、この上部ケース３の後端部（図２では右側部）には、後下り部３ｃが設けられており、これに隣接する上部ケース３の後部下面には、後側ボス部３ｄが設けられている。
【００１９】
これにより、上部ケース３は、図２および図３に示すように、その前端部（図２では左側部）の前下り部３ａの下端部が鍵盤部５の各鍵８の後部上側に接近した状態で、前側ボス部３ｂがビス１０によって鍵盤シャーシ７上に取り付けられるように構成されている。また、この上部ケース３は、その後端部（図２では右側部）に後下り部３ｃの下端部がスピーカボックス６の背面上部に接近した状態で、後側ボス部３ｄがビス１０によってスピーカボックス６上に取り付けられるように構成されている。
【００２０】
また、この上部ケース３の中間部には、図１および図４に示すように、スイッチ部１１および表示部１２が設けられている。この中間部の両側に位置する上部ケース３の両側部には、スピーカネット１３が設けられている。この場合、上部ケース３の中間部における下面には、図３に示すように、スイッチ基板１４が複数のボス１４ａを介して取り付けられていると共に、回路基板１５が複数のボス１５ａを介して取り付けられている。
【００２１】
スイッチ部１１は、音量スイッチ、音色スイッチなどの鍵盤楽器に必要な各種のスイッチを備え、これらがスイッチ基板１４上に設けられた状態で、上部ケース３の上面に露出するように構成されている。表示部１２は、液晶表示パネルやＥＬ表示パネルなどの平面型の表示パネル１２ａを有し、この表示パネル１２ａが回路基板１５と電気的に接続された状態で表示ケース１２ｂに取り付けられ、この表示ケース１２ｂが上部ケース３の上面に露出して配置されている。
【００２２】
側面パネル４は、図１、図４および図５に示すように、下部ケース２の側面カバー部２ｃおよび上部ケース３の側面に跨って配置される化粧パネルである。この側面パネル４は、下部ケース２の側面カバー部２ｃに固定ビス１６によって取り付けられることにより、下部ケース２の側面カバー部２ｃおよび上部ケース３の側面を覆い隠すように構成されている。
【００２３】
一方、スピーカボックス６は、図６および図７に示すように、鍵盤部５の鍵配列方向に沿って連続する細長い箱であり、下面が開放された構成になっている。このスピーカボックス６は、無垢の木材や木材チップを圧縮した集成材などの木製で、その板厚が下部ケース２および上部ケース３の各肉厚よりも十分に厚く形成されている。とりわけ、量産性、寸法精度、加工性、経済性等の点から、中密度繊維板（ＭＤＦ：Medium  Density  Fiberboard）やパーティクルボードなどの成形木材を使うと良い。これにより、このスピーカボックス６は、その強度および剛性が楽器ケース１よりも十分に高く形成されている。
【００２４】
なお、ここでいう剛性とは、スピーカから発生する振動（音）に対する耐性をいうが、一般には、材質と厚みによって決まるものである。材質ごとの剛性を評価するパラメータとして、例えば、ヤング率や断面２次モーメントなどを用いて評価することができる。また、厚みを増せば剛性は上がるものの、その分材料費が上がってしまう。この点、従来のプラスチック等でできていた楽器ケース１について、スピーカ部分の厚みを増しても、材料費が高くなり、また樹脂形成上の問題点もあり、好ましくない。
【００２５】
また、このスピーカボックス６は、図７（ａ）〜図７（ｄ）に示すように、その上面における両側部にスピーカ収納部１８がそれぞれ上方に突出して設けられている。このスピーカ収納部１８の上面には、放音孔１８ａが設けられている。また、このスピーカ収納部１８内には、図２および図７（ｃ）に示すように、フルレンジのスピーカ２０が上向きで取り付けられている。これにより、スピーカ２０は、発生した音がスピーカ収納部１８の放音孔１８ａから上部ケース３のスピーカネット１３を通して、上部ケース３の上方に放音されるように構成されている。
【００２６】
また、このスピーカ収納部１８の近傍に位置するスピーカボックス６には、図１および図７に示すように、バスレフポート２１がそれぞれ設けられている。さらに、スピーカ収納部１８およびバスレフポート２１の近傍に位置するスピーカボックス６の上方には高音用のスピーカ（ツイータ）２２がそれぞれ配置されている。これらフルレンジのスピーカ２０、バスレフポート２１、および高音用のスピーカ２２は、図１に示すように、上部ケース３に設けられたスピーカネット１３に対応して配置されている。
【００２７】
さらに、このスピーカボックス６の下面には、図２および図３に示すように、板厚の厚い木製の底板２３がビス１０によって取り付けられている。このスピーカボックス６内における鍵盤部５の鍵配列方向の中間部には、仕切板２４が設けられている。また、このスピーカボックス６の前面下部には、図７（ａ）〜図７（ｄ）に示すように、複数の取付金具２５が取り付けられている。これら複数の取付金具２５は、金属板をＬ字形状に折り曲げたものであり、垂直部２５ａと水平部２５ｂとを有している。
【００２８】
この場合、複数の取付金具２５は、図７（ａ）および図７（ｃ）に示すように、水平部２５ｂがスピーカボックス６の下側に突出し、この突出した水平部２５ｂが、図２および図３に示すように、スピーカボックス６の下面に設けられた底板２３の下面とほぼ同じ高さで、垂直部２５ａがスピーカボックス６の前面下部にビス２５ｃによって取り付けられている。
【００２９】
また、これら複数の取付金具２５は、図２および図３に示すように、その水平部２５ｂが下部ケース２のシャーシ搭載部２ａの後端部（図２では右端部）の下面に配置されるように構成されている。この状態で、複数の取付金具２５は、下部ケース２のシャーシ搭載部２ａのボス部２６に螺着するビス２５ｄによって、水平部２５ｂがシャーシ搭載部２ａの後端部に取り付けられるように構成されている。これにより、複数の取付金具２５は、スピーカボックス６の前面下部を下部ケース２のシャーシ搭載部２ａの後端部に取り付けるように構成されている。
【００３０】
また、スピーカボックス６の両側面、つまり鍵盤部５の鍵配列方向の両側に位置する各側面には、図７（ａ）〜図７（ｄ）に示すように、ねじ孔を有するナット２７がそれぞれ埋め込まれている。このナット２７は、スピーカボックス６の側面の内外に貫通して設けられており、このナット２７の内端部には、抜け止め用の鍔部２７ａが設けられている。
【００３１】
これにより、スピーカボックス６は、図６に示すように、その両側面が下部ケース２の各側面カバー部２ｃの間に配置され、この状態で各側面カバー部２ｃの外部からビス１０がナット２７のねじ孔に螺着することにより、スピーカボックス６の両側面に各側面カバー部２ｃがそれぞれ取り付けられるように構成されている。
【００３２】
次に、このような電子鍵盤楽器の作用について説明する。
この電子鍵盤楽器を組み立てる場合には、予め、鍵盤部５を組み立てる。このときには、鍵盤シャーシ７上に複数の鍵８をそれぞれ上下方向に回転可能に取り付けると共に、鍵盤シャーシ７に複数のハンマー部材９をそれぞれ各鍵８に対応させた状態で上下方向に回転可能に取り付ける。
【００３３】
そして、この鍵盤部５の鍵盤シャーシ７上に上部ケース３を取り付ける。このときには、予め、上部ケース３の中間部にスイッチ部１１および表示部１２を取り付ける。この上部ケース３を鍵盤シャーシ７に取り付ける場合には、上部ケース３の前下り部３ａの下端部を鍵盤部５の各鍵８の後部上側に接近させた状態で、前側ボス部３ｂを鍵盤シャーシ７上に取り付ける。これにより、上部ケース３は鍵盤部５の後部上方に延出された状態で配置される。
【００３４】
この状態で、鍵盤部５を下部ケース２のシャーシ搭載部２ａ上に配置して固定する。このときには、下部ケース２の各側面カバー部２ｃが鍵盤部５の両側に配置されると共に、上部ケース３の両側部に対応して配置される。そして、スピーカボックス６を下部ケース２の各側面カバー部２ｃ間に配置して、上部ケース３の下側に対応させる。
【００３５】
このときには、予め、スピーカボックス６のスピーカ収納部１８内にスピーカ２０を取り付けると共に、このスピーカ収納部１８の近傍に位置するスピーカボックス６にバスレフポート２１を取り付ける。また、このときには、スピーカボックス６の前面下部に複数の取付金具２５を取り付ける。
【００３６】
この状態で、下部ケース２の各側面カバー部２ｃ間にスピーカボックス６を配置すると共に、上部ケース３の下側にスピーカボックス６を配置して、スピーカボックス６の両側面に各側面カバー部２ｃを取り付けると共に、スピーカボックス６の上部に上部ケース３を取り付けるほか、スピーカボックス６の前面下部に下部ケース２のシャーシ搭載部２ａの後端部を複数の取付金具２５によって取り付ける。
【００３７】
すなわち、スピーカボックス６の両側面に各側面カバー部２ｃを取り付ける場合には、各側面カバー部２ｃの外部からビス１０をスピーカボックス６の側面に設けられたナット２７のねじ孔に螺着する。これにより、スピーカボックス６の両側面に各側面カバー部２ｃが取り付けられる。また、スピーカボックス６の上部に上部ケース３を取り付ける場合には、スピーカボックス６の内部からビス１０を上部ケース３の後側ボス部３ｄに螺着する。これにより、スピーカボックス６の上面に上部ケース３が取り付けられる。
【００３８】
さらに、スピーカボックス６の前面下部に下部ケース２のシャーシ搭載部２ａの後端部を複数の取付金具２５によって取り付ける場合には、スピーカボックス６の前面下部に取り付けられた複数の取付金具２５の各水平部２５ｂを下部ケース２のシャーシ搭載部２ａの後端部の下面に配置する。この状態で、各水平部２５ｂを通してビス２５ｄを下部ケース２のボス部２６に螺着する。これにより、スピーカボックス６の前面下部に下部ケース２のシャーシ搭載部２ａの後端部が取り付けられる。
【００３９】
このように、スピーカボックス６に下部ケース２の各側面カバー部２ｃ、下部ケース２のシャーシ搭載部２ａの後端部、および上部ケース３の後側ボス部３ｄが取り付けられた際には、合成樹脂製の下部ケース２と合成樹脂製の上部ケース３とで楽器ケース１が構成されていても、スピーカボックス６によって楽器ケース１全体の強度および剛性が高められる。
【００４０】
この状態で、下部ケース２の側面カバー部２ｃおよび上部ケース３の側面に跨って側面パネル４を配置して、固定ビス１６によって側面パネル４を下部ケース２の側面カバー部２ｃに取り付けられる。このため、下部ケース２の側面カバー部２ｃおよび上部ケース３の側面が側面パネル４で覆い隠される。これにより、電子鍵盤楽器が組み立てられる。
【００４１】
このように、この電子鍵盤楽器によれば、鍵盤部５が設けられた楽器ケース１と、この楽器ケース１に鍵盤部５の鍵配列方向に沿って設けられ、楽器ケースよりも剛性の高い材料で形成されたスピーカボックス６と、を備えていることにより、剛性を十分に確保して、音圧の振動に耐えることができ、大きな音を出力することができる。
【００４２】
すなわち、この電子鍵盤楽器では、スピーカボックス６によって剛性を確保することができるので、楽器ケース１が合成樹脂で形成されても、楽器ケース１全体の剛性を高めることができる。これにより、スピーカ２０の音質や音量を高めることができると共に、スピーカ２０の音質や音量を高めても、スピーカ２０の音圧による振動に対してスピーカボックス６が十分に耐えることができるので、スピーカ２０によって大きな音を確実にかつ良好に出力することができる。
【００４３】
この場合、スピーカボックス６は、無垢の木材や木材チップを圧縮した集成材などの木製であるから、その板厚を下部ケース２および上部ケース３の各肉厚よりも十分に厚く形成することができる。これにより、スピーカボックス６の強度および剛性を十分に高めることができる。また、スピーカボックス６が木製であることにより、金属製である場合に比べて、スピーカボックス６による音の反響性が良く、音質の良い良好な音を放音させることができるほか、楽器全体の重量を軽くすることができる。
【００４４】
また、このスピーカボックス６は、鍵盤部５の鍵配列方向に沿って連続する細長い箱であり、その下面が開放された構成であっても、スピーカボックス６の下部に木製の底板２３が取り付けられていることにより、この底板２３によってもスピーカボックス６の強度および剛性を十分に高めることができると共に、音質の良い良好な音を放音させることができる。
【００４５】
また、この電子鍵盤楽器では、楽器ケース１が合成樹脂製の下部ケース２と合成樹脂製の上部ケース３とで構成されていることにより、楽器ケース１を容易にかつ安価に製作することができると共に、合成樹脂で楽器ケース１を構成しても、スピーカボックス６によって楽器ケース１全体の強度および剛性を確保することができる。
【００４６】
また、この電子鍵盤楽器では、鍵盤部５の鍵配列方向におけるスピーカボックス６の両側に位置する内部に、それぞれフルレンジのスピーカ２０が上向きに設けられていることにより、スピーカ２０の音質や音量を高くしても、スピーカボックス６が音圧の振動に耐えることができるので、スピーカ２０によって大きな音を楽器ケース１の上側に放出することができる。
【００４７】
この場合、スピーカボックス６の両側に位置する個所には、スピーカ収納部１８が上側に突出して設けられ、このスピーカ収納部１８内にスピーカ２０が取り付けられているので、上側に突出したスピーカ収納部１８によっても、スピーカボックス６におけるスピーカ２０の取付強度を高めることができ、これによりスピーカ２０の音質や音量を高めても、スピーカ２０の音圧による振動に対して十分に耐えるようにすることができる。
【００４８】
さらに、この電子鍵盤楽器では、スピーカボックス６の強度および剛性が高いことにより、このスピーカボックス６にバスレフポート２１を設けることができると共に、スピーカボックス６によって楽器ケース１全体の強度および剛性が高められていることにより、高音用のスピーカ（ツイータ）２２を上部ケース３に設けることができ、これにより音響性が良く、音域の広い良好な楽音を発生することができる。
【００４９】
（第２実施形態）
次に、図８〜図１１を参照して、この発明を適用した電子鍵盤楽器の第２実施形態について説明する。なお、図１〜図７に示された第１実施形態と同一部分には同一符号を付して説明する。
この電子鍵盤楽器は、図８および図９に示すように、スピーカボックス６内に低音再生用のスピーカ３０を設け、スピーカボックス６の上方にフルレンジのスピーカ２０を設けた構成であり、これ以外は第１実施形態とほぼ同じ構成になっている。
【００５０】
このスピーカボックス６は、図９〜図１１に示すように、その上面が平坦面に形成されており、これ以外は第１実施形態と同じ構成になっている。このスピーカボックス６の下面には、底板２３が取り付けられている。この底板２３における鍵盤部５の鍵配列方向の中間部には、低音再生用のスピーカ３０が取り付けられている。この低音再生用のスピーカ３０は、ウーハであり、底板２３の上面に下向きに取り付けられ、この状態でスピーカボックス６内に配置されている。
【００５１】
この場合、低音再生用のスピーカ３０が対応する個所の底板２３には、図９および図１１に示すように、放音孔３０ａが上下に貫通して設けられている。この放音孔３０ａが設けられた底板２３の下面には、スピーカネット３１が設けられている。これにより、低音再生用のスピーカ３０は、発生した音を底板２３の放音孔３０ａからスピーカネット３１を通して楽器ケース１の下側に放音するように構成されている。
【００５２】
また、このスピーカボックス６の後面には、図１０（ａ）および図１０（ｄ）に示すように、バスレフポート２１が後方（図１０（ａ）では上辺側）に向けて取り付けられている。フルレンジのスピーカ２０は、図８および図９に示すように、スピーカボックス６の上方に位置する上部ケース３の下面における両側部にそれぞれピーカネット１３に対応して取り付けられている。この場合、スピーカネット１３に対応する上部ケース３の下面には、スピーカ２０が取り付けられる複数のボス部３２がそれぞれ設けられている。
【００５３】
ところで、このスピーカボックス６は、第１実施形態と同様、スピーカボックス６の両側面に各側面カバー部２ｃが取り付けられると共に、スピーカボックス６の上部に上部ケース３が取り付けられるほか、スピーカボックス６の前面下部に下部ケース２のシャーシ搭載部２ａの後端部が複数の取付金具２５によって取り付けられるように構成されている。これにより、楽器ケース１は、第１実施形態と同様、下部ケース２および上部ケース３が合成樹脂で形成されていても、スピーカボックス６によって楽器ケース１全体の強度および剛性が確保されている。
【００５４】
このような電子鍵盤楽器によれば、第１実施形態と同様、スピーカボックス６によって剛性を確保することができるので、楽器ケース１が合成樹脂で形成されても、楽器ケース１全体の剛性を確保することができる。これにより、スピーカ２０、３０の音質や音量を高めることができると共に、スピーカ２０、３０の音質や音量を高めても、スピーカ２０、３０の音圧による振動に対してスピーカボックス６および楽器ケース１が耐えることができるので、スピーカ２０、３０で大きな音を確実にかつ良好に出力することができる。
【００５５】
この場合、低音再生用のスピーカ３０は、鍵盤部５の鍵配列方向におけるスピーカボックス６の中間に位置する内部に下向きに設けられているので、低音再生用のスピーカ３０の音質や音量を高くしても、スピーカボックス６がスピーカ３０の音圧による振動に対して耐えることができるので、低音再生用のスピーカ３０によって重低音を確実にかつ良好に楽器ケース１の下側に放出させることができる。
【００５６】
また、この電子鍵盤楽器では、スピーカボックス６によって楽器ケース１全体の強度および剛性が確保されていることにより、フルレンジのスピーカ２０を上部ケース３に取り付けても、このフルレンジのスピーカ２０の音圧による振動に対して上部ケース３が耐えることができるので、スピーカ２０で大きな音を確実にかつ良好に出力することができる。
【００５７】
なお、上述した第２実施形態では、フルレンジのスピーカ２０を上部ケース３に取り付けた場合について述べたが、これに限らず、例えば第１実施形態と同様、フルレンジのスピーカ２０をスピーカボックス６の両側内部に設けた構成であっても良い。
【００５８】
（第３実施形態）
次に、図１２を参照して、この発明を適用した電子鍵盤楽器の第３実施形態について説明する。この場合にも、図１〜図７に示された第１実施形態と同一部分には同一符号を付して説明する。
この電子鍵盤楽器は、図１２に示すように、楽器ケース１の下部ケース３５が第１実施形態と異なる構成であり、これ以外は第１実施形態とほぼ同じ構成になっている。
【００５９】
すなわち、下部ケース３５は、図１２に示すように、シャーシ搭載部３５ａが鍵盤部５の後方（図１２では右側）に延出され、この延出された後端部に後側立上り部３５ｂが設けられ、この後側立上り部３５ｂの上端部が上部ケース３の後側下り部３ｄの下端部に当接するように構成されている。
【００６０】
この場合にも、下部ケース３５は、第１実施形態と同様、その前端部に前カバー部２ａが設けられ、両側部に各側面カバー部２ｃが前カバー部２ａから後側下り部３５ｂに亘って形成された構成になっている。この下部ケース３５も、第１実施形態と同様、合成樹脂に形成されている。
【００６１】
これにより、楽器ケース１は、図１２に示すように、その後部側が下部ケース３５のシャーシ搭載部３５ａ、このシャーシ搭載部３５ａの後側立上り部３５ｂ、下部ケース３５の各側面カバー部２ｃ、および上部ケース３によって囲われた構成になっている。また、この楽器ケース１の後部側の内部には、スピーカボックス６が鍵盤部５の鍵配列方向に沿って設けられている。
【００６２】
このスピーカボックス６は、第１実施形態と同様、その上面における両側部にスピーカ収納部１８がそれぞれ上方に突出して設けられている。このスピーカ収納部１８の上面には、放音孔１８ａが設けられている。また、このスピーカ収納部１８内には、フルレンジのスピーカ２０が上向きで取り付けられている。
【００６３】
さらに、このスピーカボックス６は、図１２に示すように、下部ケース３５のシャーシ搭載部３５ａの後側部上に配置され、この状態でスピーカボックス６の両側面に各側面カバー部２ｃがビス１０によって取り付けられると共に、スピーカボックス６の上部に、第１実施形態と同様、上部ケース３の後側ボス部３ｄ（図２参照）がビス１０によって取り付けられるように構成されている。
【００６４】
このような電子鍵盤楽器によれば、第１実施形態と同様の作用効果があるほか、楽器ケース１の後部側が下部ケース３５と上部ケース３とで囲われた構成であるから、この楽器ケース１の後側部の内部にスピーカボックス６を配置して固定することができる。このためス、ピーカボックス６によって楽器ケース１全体の強度および剛性を確保することができるほか、スピーカボックス６が楽器ケース１の外部から見えないので、外観的にもデザイン的にも好ましいものを提供することができる。
【００６５】
なお、上述した第１〜第３の各実施形態では、楽器ケース１の下部ケース２、３５が合成樹脂によって形成されている場合について述べたが、これに限らず、例えば図１３に示す変形例のように、下部ケース３７を無垢の木材や木材チップを圧縮した集成材などの木製で形成しても良い。このように構成すれば、楽器ケース１の強度および剛性を、より一層、高めることができる。
【００６６】
また、上述した第１〜第３の各実施形態では、スピーカボックス６を無垢の木材や木材チップを圧縮した集成材などの木製で形成した場合について述べたが、必ずしもスピーカボックス６を木製で形成する必要はなく、アルミニウム、ステンレスなどの剛性の高い金属で形成しても良い。もっとも、木製で形成することにより、金属で形成する場合に比べてより安価で、また音質的にも好ましい面があり、これらの点を総合的に検討して材質を選択することが望ましい。
【００６７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６８】
（付記）
請求項１に記載の発明は、鍵盤部が設けられた楽器ケースと、この楽器ケースに前記鍵盤部の鍵配列方向に沿って設けられ、前記楽器ケースよりも剛性の高い材料で形成されたスピーカボックスと、を備えていることを特徴とする電子鍵盤楽器である。
【００６９】
請求項２に記載の発明は、請求項１に記載の電子鍵盤楽器において、前記スピーカボックスは、木製であり、板厚が前記楽器ケースの肉厚よりも厚く形成されていることを特徴とする電子鍵盤楽器である。
【００７０】
請求項３に記載の発明は、請求項１または請求項２に記載の電子鍵盤楽器において、前記楽器ケースは、合成樹脂製の下部ケースと合成樹脂製の上部ケースとで構成されていることを特徴とする電子鍵盤楽器である。
【００７１】
請求項４に記載の発明は、請求項１〜請求項３のいずれかに記載の電子鍵盤楽器において、前記鍵盤部の鍵配列方向における前記スピーカボックスの両側に位置する内部には、それぞれスピーカが上向きに設けられていることを特徴とする電子鍵盤楽器である。
【００７２】
請求項５に記載の発明は、請求項１〜請求項４のいずれかに記載の電子鍵盤楽器において、前記鍵盤部の鍵配列方向における前記スピーカボックスの中間に位置する内部には、低音再生用のスピーカが下向きに設けられていることを特徴とする電子鍵盤楽器である。
【００７３】
請求項６に記載の発明は、請求項１〜請求項５のいずれかに記載の電子鍵盤楽器において、前記スピーカボックスには、バスレフポートが設けられていることを特徴とする電子鍵盤楽器である。
【符号の説明】
【００７４】
１  楽器ケース
２、３５、３７  下部ケース
３  上部ケース
５  鍵盤部
６  スピーカボックス
１３、３１  スピーカネット
１８  スピーカ収納部
２０  フルレンジのスピーカ
２１  バスレフポート
２２  高音用のスピーカ
２３  底板
２５  取付金具
３０  低音再生用のスピーカ
【図１】
2015060112.tif 000003
【図２】
2015060112.tif 000004
【図３】
2015060112.tif 000005
【図４】
2015060112.tif 000006
【図５】
2015060112.tif 000007
【図６】
2015060112.tif 000008
【図７】
2015060112.tif 000009
【図８】
2015060112.tif 000010
【図９】
2015060112.tif 000011
【図１０】
2015060112.tif 000012
【図１１】
2015060112.tif 000013
【図１２】
2015060112.tif 000014
【図１３】
2015060112.tif 000015